(57)【特許請求の範囲】
【請求項１】
紙を主材料とする、主に枠状で外周部と仕切り部とからなるフランジ部からなり複数の開口部を有する一つの主ブランクと、多角形状である底面と側面とからなる前記開口部の数と同数の複数の副ブランクとで組み立てられた紙製容器本体と、該紙製容器本体の内面に密接着している熱可塑性樹脂製フィルムよりなる内部保護フィルム層とからなる紙製容器であって、前記フランジ部の外側の一部に折り曲げ可能な表示パネル部を連設し、前記フランジ部の前記開口部の少なくとも一辺に折れ線を介して補強片を連設したことを特徴とする紙製容器。
【発明の詳細な説明】
【０００１】
【産業上の利用分野】
本発明は、紙製容器に関するものであり、更に詳しくは、フランジ部でのシール蓋による密封が可能で、かつ、フランジ部に折り曲げ可能な表示パネル部を連設した紙製容器に関するものである。
【０００２】
【従来の技術】
従来より、トレー形状の容器としては、紙製のもの、あるいはプラスチック製のものなど、種々のものが実用化されているが、内容物が液体を含むものの場合、あるいは充分な密封性が必要な場合には、紙単独で構成される紙製の容器あるいは内面に樹脂加工を施した紙で組み立てられた容器は、充分な密封性を有していないため使用できない。充分な密封性を持たせるためには、シール蓋で密封シールするための適切なフランジ部を備えていることが必要であり、これらの観点から、プラスチックを成形したトレーにシール蓋で密封した形状のプラスチック容器が一般的である。また、紙あるいはプラスチックを単独材料として使用するのではなく、紙とプラスチックとを複合した構成の材料を使用した容器が、特開平３−１２００３４号公報、特開平８−２５３２３７号公報などに開示されている。
【０００３】
【発明が解決しようとする課題】
しかしながら、上記のプラスチック製の容器においては、容器として使用後、その廃棄に問題があり、現在、使用後のこれらの容器は、回収して再利用を図るか、または燃焼処理するか、あるいはそのまま廃棄する等の処理がなされているが、いずれにしても、充分に満足し得る状態ではなく、その使用量の削減などが求められている。また、容器の表面の意匠性についても、印刷効果、および印刷の難易度の点で、紙製の容器に比べて劣っている点が問題である。
【０００４】
また、紙とプラスチックとを複合した構成の材料を使用した容器、例えば、特開平３−１２００３４号公報、特開平８−２５３２３７号公報などに開示されている容器についても、フランジ部において、重なり部あるいはつなぎ目などがあり、段差のない平滑で一体なものとなっていないため、シール蓋による充分な密封を行うことができないという問題がある。また、容器のブランクを成形型の中で組み立てることが容易でなく、組み立てた形状が変形し易いという問題がある。さらに、フランジ部に充分な広さがなく、販促用などの種々の表示をすることが難しいなどの問題がある。
【０００５】
本発明は、このような背景に鑑みてなされたものであり、その目的とするところは、紙を主材料とし、プラスチックの比率の少ない材料構成からなる、環境問題に対応した容器であり、また、容器のブランクを成形型の中で組み立てることが容易で、組み立てた形状が変形しにくく、さらに、フランジ部が、重なり部あるいはつなぎ目などのない平滑な一体なものであることから、シール蓋による充分な密封が可能であり、さらにまた、フランジ部に表示パネル部を連設して、折り曲げ可能な販促用の表示パネルとして使用することができる紙製容器を提供することである。
【０００６】
【課題を解決するための手段】
上記課題は、以下の発明によって解決することができる。
【０００７】
請求項１に記載の発明は、紙を主材料とする、主に枠状で外周部と仕切り部とからなるフランジ部からなり複数の開口部を有する一つの主ブランクと、多角形状である底面と側面とからなる前記開口部の数と同数の複数の副ブランクとで組み立てられた紙製容器本体と、該紙製容器本体の内面に密接着している熱可塑性樹脂製フィルムよりなる内部保護フィルム層とからなる紙製容器であって、前記フランジ部の外側の一部に折り曲げ可能な表示パネル部を連設し、前記フランジ部の前記開口部の少なくとも一辺に折れ線を介して補強片を連設したことを特徴とする紙製容器である。
【０００８】
この発明によれば、紙製容器の紙製容器本体を構成する主ブランクと副ブランクの二つのブランクを成形型の中で組み立てることが容易で、組み立てた形状が変形しにくく、また、フランジ部が、重なり部あるいはつなぎ目などのない平滑な一体なものであることから、シール蓋による充分な密封が可能であり、さらに、フランジ部に表示パネル部を連設して、折り曲げ可能な販促用のパネルとして使用することができ、さらにまた、紙を主材料とし、プラスチックの比率の少ない材料構成からなる、環境問題に対応した紙製容器を得ることができる。
また、一つの紙製容器において、複数の種類の内容物を分けて収納することができる。
さらに、主ブランクのフランジ部の内周および副ブランクの底面を多角形状にすることによって、形状が安定したものとなるとともに、外観上も良好な紙製容器を得ることができる。
さらにまた、主ブランクと副ブランクとが隣接する部分に補強片により重なる部分を設けることによって、紙製容器の形状を保持し、強度を上げる効果がある。
【００１９】
この発明によれば、紙製容器の紙製容器本体を構成する主ブランクと副ブランクの二つのブランクを成形型の中で組み立てることが容易で、組み立てた形状が変形しにくく、極めて簡単な工程で容器を製造することができ、かつ、フランジ部が重なり部あるいはつなぎ目などのない平滑な一体なものであることから、シール蓋による充分な密封性を有する紙製容器を得ることができる。
【００２０】
すなわち、本発明は、紙を主材料とする、主に枠状のフランジ部と表示パネル部とからなる主ブランクと、底面と側面とからなる副ブランクとで組み立てられた紙製容器本体と、該紙製容器本体の内面に加熱状態で真空ないし圧空に吸引されて密接着している熱可塑性樹脂製フィルムよりなる内部保護フィルム層とからなることを特徴とする紙製容器である。
【００２１】
また、本発明は、フランジ部に表示パネル部を連設している形状であることから、この表示パネル部に販促用の表示などとして使用することができることを特徴とする紙製容器である。さらに、この表示パネル部を上方あるいは下方に折り曲げることによって、販促効果を上げることができると共に、容器の折り曲がり、撓みを防ぎ、強度を上げることができるという効果がある。
【００２２】
【発明の実施の形態】
以下に、本発明の紙製容器について、形状、用いる材料、および製造方法など、発明の実施の形態について図面を参照にして説明するが、幾つかの図面に渡って同一または同様な部分には同一の符号を付けている。
【００２３】
図１は、本発明の紙製容器の第一の実施の形態であり、主ブランクが四角形状の枠状のフランジ部と表示パネル部とからなり、副ブランクが四角形状の底面と側面とからなる場合の例を示す斜視図である。本発明にかかる紙製容器Ａは、重なり部あるいはつなぎ目のない平滑な一体であるフランジ部３と表示パネル部３Ａ、底面５および側面６、６、６、６を有する紙製容器本体１を主構成要素とし、さらに紙製容器本体１の内面に熱可塑性樹脂製フィルムを密接着した内面保護フィルム層２との構成からなるものである。この紙製容器Ａでは、四角形状の枠状のフランジ部３の外側の一辺に折れ線ａを介して表示パネル部３Ａを設けていることが特徴である。
【００２４】
すなわち、本発明にかかる紙製容器Ａは、図２に示すように、紙を主材料とする、フランジ部３とこのフランジ部３に連設した表示パネル部３Ａとからなる主ブランク１０と、底面５と側面６、６、６、６とからなる副ブランク２０とで隙間を生じない形状の紙製容器本体１が組み立てられ、その底面５、各側面６、６、６、６、フランジ部３および表示パネル部３Ａを熱可塑性樹脂製フィルムで固着した内面保護フィルム層２を設けることにより容器を構成するものである。
【００２５】
図３は、紙製容器本体１を組み立てるための主ブランク１０の展開図であり、フランジ部３は重なり部あるいはつなぎ目のない一体となっている。また、四角形状の枠状のフランジ部３の外側の一辺に折れ線ａを介して表示パネル部３Ａを設けている。この表示パネル部３Ａの形状は、特に限定されるものではなく、四辺形、半円形、台形、三角形などとすることができる。表示パネル部３Ａを設ける位置あるいは数も、特に限定されるものではない。この折れ線ａは、表示パネル部３Ａを折り曲げ易いように、ミシン目あるいは半切れが好ましい。
【００２６】
また、この表示パネル部３Ａには、図のように、販促用の表示を施すことができる。また、折り曲げが可能で、上方あるいは下方に折り曲げて使用することによって、販促効果を上げることができる。
【００２７】
図４は、副ブランク２０の展開図であり、底面５と、この底面５の各辺に、折れ線ｂを介して、折り曲げ可能な側面６、６、６、６を連設している。この折れ線ｂは、側面６、６、６、６が折り曲げ易いように、ミシン目あるいは半切れが好ましい。この側面６、６、６、６の形状は、四角形とし、おもに外側に拡がる台形とする。
【００２８】
これらの主ブランク１０、副ブランク２０は、板紙を主材料としているため、表面に印刷を容易に施せると共に印刷の効果も良い外観を持つ紙製容器とすることができる。
【００２９】
図５、本発明の紙製容器の第二の実施の形態であり、主ブランクが四角形状のフランジ部と表示パネル部と側面とからなり、副ブランクが四角形状の底面と側面とからなる場合の例を示す斜視図であり、本発明にかかる紙製容器Ｂは、重なり部あるいはつなぎ目のない平滑な一体であるフランジ部３と表示パネル部３Ａ、側面４、４、６、６および底面５を有する紙製容器本体１を主構成要素とし、さらに紙製容器本体１の内面に熱可塑性樹脂製フィルムを密接着した内面保護フィルム層２との構成からなるものである。この紙製容器Ｂでは、紙製容器Ａと同様に、四角形状の枠状のフランジ部３の外側の一辺を延ばして、表示パネル部３Ａを設けていることが特徴である。
【００３０】
すなわち、本発明にかかる紙製容器Ｂは、図６に示すように、紙を主材料とする、四角形状のフランジ部３と、このフランジ部３に連設した表示パネル部３Ａと、一対の対向する側面４、４とからなる主ブランク１０と、底面５と主ブランク１０に連接した側面４、４以外の側面である側面６、６とからなる副ブランク１１とで紙製容器本体１が組み立てられ、その底面５、各側面４、４、６、６、フランジ部３および表示パネル部３Ａを熱可塑性樹脂からなる熱可塑性樹脂製フィルムで密接着することにより内面保護フィルム層２を設けることにより容器を構成するものである。
【００３１】
図７は、紙製容器Ｂの紙製容器本体１を組み立てるための主ブランク３０の展開図であり、主ブランク３０では、重なり部あるいはつなぎ目のない一体となっている四角形状の枠状のフランジ部３の外側の一辺に、折れ線ａを介して、表示パネル部３Ａを連設し、また、そのフランジ部３の内側の一対の対向する辺に、折れ線ｂを介して、折り曲げ可能な一対の対向する側面４、４を連設している。この折れ線ａおよび折れ線ｂは、表示パネル部３Ａおよび側面４、４が折り曲げ易いように、ミシン目あるいは半切れが好ましい。側面４、４の形状は、四角形とし、主に上方に拡がる台形とすることにより、組み立てた後にテーパーのついたトレー形状となる。
【００３２】
図８は副ブランク４０の展開図であり、副ブランク４０では、底面５と、この底面５の外側の一対の対向する辺に、折れ線ｃを介して、主ブランクに連設する側面４、４以外の側面として折り曲げ可能な一対の対向する側面６、６を連設している。
この主ブランクに連設した側面以外の側面としては、底面が四角形の場合には、一対の対向する側面となるが、四角形以上の多角形の場合には、主ブランクに連設した側面以外の側面の数は増えて一対以上になる。
この折れ線ｃは、側面６、６が折り曲げ易いように、ミシン目あるいは半切れが好ましい。この側面６、６は、の形状は、四角形とし、側面４、４同様、主に上方に拡がる台形とすることにより、組み立てた後にテーパーのついたトレー形状となる。
【００３３】
図９は、本発明の紙製容器の第三の実施の形態であり、主ブランクが四角形状の枠状のフランジ部と表示パネル部と補強片とからなり、副ブランクが四角形状の底面と側面とからなる場合の例を示す斜視図であり、本発明にかかる紙製容器Ｃは、重なり部あるいはつなぎ目のない平滑な一体であるフランジ部３と表示パネル部３Ａ、補強片３Ｂ、底面５および側面６、６、６、６を有する紙製容器本体１を主構成要素とし、さらに紙製容器本体１の内面に熱可塑性樹脂製フィルムを密接着した内面保護フィルム層２との構成からなるものである。この紙製容器Ｃでは、紙製容器Ａ、Ｂと同様に、四角形状の枠状のフランジ部３の外側の一辺に、折れ線ａを介して、表示パネル部３Ａを設けていることが特徴であり、さらに、フランジ部３ａの内側の四辺に補強片３Ｂ、３Ｂ、３Ｂ、３Ｂを連設していることが特徴である。
【００３４】
すなわち、本発明にかかる紙製容器Ｃは、図１０に示すように、紙を主材料とする、四角形状の枠状のフランジ部３と、このフランジ部３の外側の辺に連設した表示パネル部３Ａと、このフランジ部３の内側の四辺に連設した補強片３Ｂ、３Ｂ、３Ｂ、３Ｂからなる主ブランク５０と、底面５と側面６、６、６、６とからなる副ブランク６０とで側面６、６、６、６の上部の内側あるいは外側にフランジ部３に連設した補強片３Ｂ、３Ｂ、３Ｂ、３Ｂを重ねた状態に組み立てられ、その底面５、各側面６、６、６、６、フランジ部３および表示パネル部３Ａを熱可塑性樹脂からなる内面保護フィルムで固着した内面保護フィルム層３を設けることにより容器を構成するものである。
【００３５】
図１１は、紙製容器本体１を組み立てるための主ブランク５０の展開図であり、フランジ部３が重なり部あるいはつなぎ目のない一体となっているフランジ部３の外側の一辺に表示パネル部３Ａを連設し、また、フランジ部３の内側の辺には、折れ線ｂを介して、補強片３Ｂを連設している。この折れ線ａおよび折れ線ｂは、表示パネル部３Ａおよび補強片３Ｂが折り曲げ易いように、ミシン目あるいは半切れが好ましい。また、この補強片３Ｂは、必ずしもフランジ部３の全ての内側の辺に設ける必要はないが、全ての辺に設けることによって、容器としての強度が向上させることができる。また、フランジ部３の各辺の内側の全長に渡って設ける必要はなく、部分的であってもよい。また、この補強片３Ｂの幅は、側面６、６、６、６の上部の内側あるいは外側に重ねる程度で、５〜２０ｍｍの範囲が好ましい。形状については、特に限定されるものではないが、四角形、台形、三角形、半円形などにすることができる。
【００３６】
本発明の紙製容器の第三の実施の形態である紙製容器Ｃにおいて、主ブランク５０に組み合わせる副ブランク６０の展開図は、図４に示している第一の実施の形態である紙製容器Ａの副ブランク２０と同じであり、底面５と、この底面５の各辺に、折れ線ｂを介して、折り曲げ可能な側面６、６、６、６を連設している。この折れ線ｂは、側面６、６、６、６が折り曲げ易いように、ミシン目あるいは半切れが好ましい。この側面６、６、６、６の形状は、四角形とし、おもに外側に拡がる台形とする。
【００３７】
上記のそれぞれの実施の形態においては、フランジ部３として枠状の四角形を例としてあげたが、特に四角形に限定されるものではなく、フランジ部３および底面５の形状としては、多角形であればよく、例えば、三角形、四角形、五角形、六角形、八角形等のいずれの形状でもよい。また、フランジ部３の形状と、底面５の形状とを、必ずしも同形状としなくてもよい。
【００３８】
図１２は、本発明の紙製容器の第四の実施の形態であり、主ブランクが複数の開口部を有し、外周部と仕切り部とからなるフランジ部と表示パネル部とからなり、副ブランクが複数であり、多角形状の底面と側面とからなる場合の例を示す斜視図である。本発明にかかる紙製容器Ｄは、重なり部あるいはつなぎ目のない平滑な一体である外周部３ａと仕切り部３ｂとからなるフランジ部３と表示パネル部３Ａからなる主ブランク７０と、底面５および各側面６とからなる二つの副ブランク８０、９０を組み合わせてなる紙製容器本体１を主構成要素とし、さらに紙製容器本体１の内面に熱可塑性樹脂製フィルムを密接着した内面保護フィルム層２との構成からなるものである。この紙製容器Ｄでは、主ブランクが、二つの開口部を有し、外周部３ａと仕切り部３ｂとからなるフランジ部３と表示パネル部３Ａとからなり、フランジ部３の外側の一辺に表示パネル部３Ａを折れ線ａを介して設けていることが特徴である。
【００３９】
すなわち、本発明にかかる紙製容器Ｄは、図１３に示すように、紙を主材料とする、外周部３ａと仕切り部３ｂとからなるフランジ部３とこのフランジ部３に連設した表示パネル部３Ａとからなる主ブランク７０と、底面５と各側面６とからなる二つの副ブランク８０、９０とで隙間を生じない形状に組み立てられ、その底面５、各側面６、フランジ部３および表示パネル部３Ａを熱可塑性樹脂製フィルムで固着した内面保護フィルム層２を設けることにより容器を構成するものである。
【００４０】
図１４は、紙製容器本体１を組み立てるための主ブランク７０の展開図であり、フランジ部３は外周部３ａと仕切り部３ｂとからなり、重なり部あるいはつなぎ目のない一体となっている。また、フランジ部３の外側の一辺に、折れ線ａを介して、表示パネル部３Ａを設けている。
【００４１】
また、この表示パネル部３Ａには、図のように、販促用の表示を施すことができる。また、折り曲げが可能で、上方に折り曲げて起こして使用することによって、販促効果を上げることができる。さらに、主ブランク７０が複数の開口部を有し、フランジ部３が外周部３ａと仕切り部３ｂからなる場合には、図のように、仕切り部３ｂの止点となるような位置に表示パネル３ａを設け、折り曲げることにより、仕切り部３ｂでの折れ曲がりを防ぎ、紙製容器を強化する効果もある。
【００４２】
図１５は、副ブランク８０、９０の展開図であり、底面５と、この底面５の各辺に、折れ線ｂを介して、折り曲げ可能な各側面６を連設している。この折れ線ｂは、各側面６が折り曲げ易いように、ミシン目あるいは半切れが好ましい。この各側面６の形状は、四角形とし、おもに外側に拡がる台形とする。
【００４３】
つぎに、本発明にかかる紙製容器の製造方法について説明する。この説明では主に紙製容器Ａについて具体的に説明するが、他の実施の形態でも同様に製造することができる。
【００４４】
図１６は、上記のブランクを真空ないし圧空成形する成形型内に入れて該成形型内で紙製容器を構成する半製品を組み立てる状態の成形型の概略を示す断面図であり、図１７は、上記の半製品の内部に熱可塑性樹脂製フィルムを密接着させる状態の成形型の概略を示す断面図である。
【００４５】
本発明においては、まず、図３および図４にその一例を示すように、フランジ部３と表示パネル部３Ａとからなる主ブランク１０と、底面５と側面６、６、６、６とからなる副ブランク２０とを製造する。
【００４６】
次に、図１６に示すように、上記で製造した主ブランク１０および副ブランク２０を真空ないし圧空成形する成形型１００内に入れて該成形型１００内でトレー状に組み立てる。なお、図において、１０１は、成形機ベットを示し、１０２は、吸引する真空孔を示し、１０３は、熱可塑性樹脂製フィルムを示し、１０４は、それをクリップするクランプを示している。
【００４７】
成形型１００内で、紙製容器本体１を組み立てるには、まず、主ブランク１０を挿入し、フランジ部３と表示パネル部３Ａを成形型１００にしっかり固定する。つぎに、副ブランク２０を側面６、６、６、６を折り曲げて、底面５を成形型１００の底面まで挿入する。この２つのブランクにより紙製容器本体１が成形型１００内で容易に組み立てられる。この組み立ての際に、成形型１００内に副ブランク２０を押し込む際に、上方からプラグを押し込むことにより、容易に成形型１００内で紙製容器本体１を組み立てることができる。
【００４８】
而して、上記で製造した紙製容器本体１では、重なり部あるいはつなぎ目のない一体となっているフランジ部３が形成される。また、ブランク２０の側面６、６、６、６が、底面５から起立した形状となり、容器を構成する隅部において、側面６、６、６、６同志の端部とが接した状態で隣接していることが好ましい。
【００４９】
次に、本発明においては、図１７に示すように、成形機ベット１０１の真空孔１０２より空気を吸引しながら、クランプ１０４でクリップしている加熱状態にある熱可塑性樹脂製フィルム１０３を、そのクランプ１０４を下げて成形型１００に接触させ、更に吸引を継続しながら上記の紙製容器本体１の内部に加熱状態にある熱可塑性樹脂フィルム１０３を密接着させる。なお、前記真空成形、または真空圧空成形の際には、プラグアシスト装置を併用して、軟化した熱可塑性樹脂フィルム１０３を紙製容器本体１の中に押し込むことができる。このような方法を採ることにより、紙製容器本体１の内面に形成される内面保護フィルム層２の厚さムラを少なくすることができ、紙製容器Ａの品質を向上させることができる。上記で密接着が終了した後、吸引を解いて、さらに熱可塑性樹脂製フィルム１０３を切断して、紙製容器本体１の内面に内面保護フィルム層２を有する本発明にかかる紙製容器Ａを製造することができる。
紙製容器Ｂ、Ｃ、Ｄについても、紙製容器Ａと同様にして、製造することができる。
【００５０】
上記の本発明において、ブランクを構成する紙材料としては、例えば、坪量１５０ないし６００ｇ／ｍ2 程度の各種の板紙、加工紙等を使用することができる。
【００５１】
また、上記の本発明において、内面保護フィルム層２を形成する熱可塑性樹脂からなる熱可塑性樹脂製フィルム１０３としては、耐水性、密封性、そして熱融着性を有する熱可塑性樹脂からなるフィルムであればよく、例えば、各種のポリエチレン（ＰＥ）、ポリプロピレン（ＰＰ）、ポリ塩化ビニル、ポリエチレンテレフタレ−ト（ＰＥＴ）、エチレン−酢酸ビニル共重合体、アイオノマ−、エチレン−アクリル酸共重合体、ポリアミド、ポリ塩化ビニリデン、ポリスチレン、エチレン−酢酸ビニル共重合体ケン化物、ポリカ−ボネ−ト、ポリブテン、ポリビニルアルコ−ル、その他等の各種の熱可塑性樹脂のフィルムを単独ないしラミネ−トして使用することができる。特に、容器にガスバリヤー性を付与したい場合には、例えば、中間層にエチレン−ビニルアルコール共重合体（ＥＶＯＨ）などのガスバリヤー性材料を積層した積層シート、具体的には、ＰＥ／ＥＶＯＨ／ＰＥ、ＰＰ／ＥＶＯＨ／ＰＥ、Ａ（アモルファス）・ＰＥＴ／ＥＶＯＨ／ＰＥなどの層構成の積層シートを用いることができる。
【００５２】
これらの熱可塑性樹脂製フィルム１０３の厚さは、３０〜２５０μｍの範囲とし、フィルム自体の成形性、および成形する容器の容量、深絞りの比率（深さ／口径）などにより、適宜決定するが、好ましくは５０〜１００μｍの範囲とする。ただ、容器の強度は、主に外側の紙製容器本体１で付与されるため、プラスチック単独の成形容器の場合よりは、厚さを極端に薄くすることができる。環境対応の観点から、プラスチックの構成比率を少なくするために、必要最小限の厚さとすることが好ましいが、薄すぎた場合には、バリアー性が劣ること、ピンホールが発生しやすくなるなどの問題があるので、フィルムの種類、容器のサイズなどを勘案して適宜設定する必要がある。
【００５３】
なお、本発明の紙製容器において、半製品である紙製容器本体１の内面に熱可塑性樹脂製フィルム１０３を密接着させる場合、フィルム自身が加熱状態で接着させるが、熱可塑性樹脂製フィルム１０３の材質によっては、紙製容器本体１との接着強度が不充分な場合がある。このような場合には、例えば、熱可塑性樹脂製フィルム１０３に、あらかじめヒートシール剤やホットメルト材などの熱接着性樹脂を塗布したり、あるいは、熱接着性樹脂を押し出しコートして接着層を設けておくことができる。また、接着層を塗布する場合は、紙製容器本体１側に設けてもよく、ただ、このような接着層を設ける場合は、接着層の材質の選定と厚さの調整を行うことが必要である。
【００５４】
【実施例】
次に本発明について具体的な実施例を挙げて更に詳しく説明する。
【００５５】
〔実施例１〕
坪量２７０ｇ／ｍ2 の板紙を使用して、フランジ部の形状が八角形でそのフランジ部の一対の対向する外側の辺に表示パネル部を連設した主ブランク、および、形状が八角形の底面とその底面に連設した八面の側面とからなる副ブランクを製造した。これらのブランクを図１６に示すような真空成形機の成形型内に入れて、上記の主ブランク、副ブランクを該型内で組み立てて紙製容器を構成する半製品の紙製容器本体を得た。そして、厚さ５０μｍの熱可塑性樹脂製フィルム（Ａ−ＰＥＴフィルム３０μｍにＥＶＡ２０μｍを押し出しコーティングしたフィルム）を半製品の紙製容器本体内部に入れてその内面の全面に密接着させた。熱可塑性樹脂製フィルムが密接着した後、吸引を解いて、更に熱可塑性樹脂製フィルムを切断して、図１８に示すようなフランジ部が八角形状で底面も八角形状で、フランジの両側に表示パネル部を有する紙製容器Ｅを得た。上記で得た紙製容器Ｅの中に内容物を充填し、シール蓋をフランジ部に熱シールすることによって、充分な密封性を有する紙製容器を得ることができた。また、フランジ部に表示パネル部を設けることによって、販促用の表示パネルとして使用し、販促効果を上げることができた。さらに、使用後は、燃焼ゴミとして廃棄することができた。
【００５６】
〔実施例２〕
坪量２７０ｇ／ｍ2 の板紙を使用して、フランジ部の形状が四角形でそのフランジ部の一対の対向する外側の辺に表示パネル部を連設したの主ブランク、および、形状が八角形の底面とその底面に連設した八面の側面とからなる副ブランクを製造した。これを実施例１と同様に、図１６に示すような真空成形機の成形型内に入れて、上記の主ブランク、副ブランクを該型内で組み立てて紙製容器を構成する半製品の紙製容器本体を得た。そして、実施例１と同様に、厚さ５０μｍの熱可塑性樹脂製フィルム（Ａ−ＰＥＴフィルム３０μｍにＥＶＡ２０μｍを押し出しコーティングしたフィルム）を半製品の紙製容器本体内部に入れてその内面の全面に密接着させた。熱可塑性樹脂製フィルムが密接着した後、吸引を解いて、更に熱可塑性樹脂製フィルムを切断して、図１９に示すようなフランジ部が四角形状で底面が八角形状の紙製容器Ｆを得た。上記で得た紙製容器Ｆの中に内容物を充填し、シール蓋をフランジ部に熱シールすることによって、充分な密封性を有する紙製容器を得ることができた。また、フランジ部に表示パネル部を設けることによって、販促用の表示パネルとして使用し、販促効果を上げることができた。さらに、使用後は、燃焼ゴミとして廃棄することができた。
【００５７】
〔実施例３〕
坪量２７０ｇ／ｍ2 の板紙を使用して、フランジ部が、開口部を二つ有する外周部と仕切り部とからなり、フランジ部の一辺に表示パネル部を連設し、開口部の各辺に補強片を連設した主ブランク、および底面の形状が五角形と八角形の二つの副ブランクを製造した。これを実施例１と同様に、図１６に示すような真空成形機の成形型内に入れて、上記の主ブランク、副ブランクを該型内で組み立てて紙製容器を構成する半製品の紙製容器本体を得た。そして、実施例１と同様に、厚さ５０μｍの熱可塑性樹脂製フィルム（Ａ−ＰＥＴフィルム３０μｍにＥＶＡ２０μｍを押し出しコーティングしたフィルム）を半製品の紙製容器本体内部に入れてその内面の全面に密接着させた。熱可塑性樹脂製フィルムが密接着した後、吸引を解いて、更に熱可塑性樹脂製フィルムを切断して、図２０に示すようなフランジ部に開口部を二つ持つ、つまり収納部を二つ持ち、一辺に表示パネル部を有する紙製容器Ｇを得た。上記で得た紙製容器Ｇの中に内容物を充填し、シール蓋をフランジ部に熱シールすることによって、充分な密封性を有する紙製容器を得ることができた。また、フランジ部に表示パネル部を設けることによって、販促用の表示パネルとして使用し、販促効果を上げることができた。さらに、折り曲げることにより、仕切り部での折れ曲がりを防ぎ、紙製容器を強化する効果もあった。さらにまた、使用後は、燃焼ゴミとして廃棄することができた。
【００５８】
【発明の効果】
以上の説明で明らかなように、本発明は、紙を主材料とする、主に枠状のフランジ部と該フランジ部の外周の一部に連設した表示パネル部からなる主ブランクと、底面と側面とからなる副ブランクとを製造し、これを真空ないし圧空成形する成形型内に入れて該型内で組み立てて紙製容器を構成する半製品である紙製容器本体を組み立てて、その紙製容器本体を構成する底面と側面とフランジ部および表示パネル部とを加熱状態にある熱可塑性樹脂製フィルムを密接着させてそれらを固定することによって紙製容器を製造するものである。従って、本発明は、従来のようにシール蓋によるシールの密封性が不充分であるという問題点を改良し、その製造工程を全く変えたものである。すなわち、板紙を主材料とする主ブランクと副ブランクを作製し、これらを、フィルムを真空ないし圧空成形する型内で組み立て、しかる後、その内面の全面に真空成形ないし圧空成形、あるいはその併用により成形して熱可塑性樹脂製フィルムを密接着させるだけであり、フランジ部が重なる部分あるいはつなぎ目などのない平滑な一体なものであることから、シール蓋による充分な内容物の密封が可能である。
【００５９】
また、フランジ部と側面とからなる主ブランクと、底面と側面とからなる副ブランクとを成形型の中に挿入するだけで簡単に組み立てることができ、組み立てた形状が変形しにくいという特長がある。
【００６０】
また、フランジ部に連設した表示パネル部を販促用パネルに使用することができ、販促効果を上げることができる。また、この表示パネル部を上方あるいは下方に折り曲げて使用することによって、販促効果を上げることができると共に、容器のたわみを防ぎ、容器の形状を保持することができるという効果もある。特に、複数の開口部を有する形状の場合には、仕切り部の折れ曲がりを防ぐ効果がある。
【００６１】
さらに、本発明の紙製容器は、紙を主体とした容器であることから、容器として使用後、そのまま燃焼ゴミとして廃棄することができ、環境破壊等の元凶にならないものである。本発明にかかる紙製容器は、冷凍食品、惣菜等の包装用容器として、極めて有用なものである。
【図面の簡単な説明】
【図１】本発明の紙製容器の第一の実施の形態の一実施例を示す斜視図である。
【図２】図１の紙製容器本体（１）の構成の概略を示す斜視図である。
【図３】図１の一実施例の主ブランクを示す展開図である。
【図４】図１の一実施例の副ブランクを示す展開図である。
【図５】本発明の紙製容器の第二の実施の形態の一実施例を示す斜視図である。
【図６】図５の紙製容器本体（１）の構成の概略を示す斜視図である。
【図７】図５の一実施例の主ブランクを示す展開図である。
【図８】図５の一実施例の副ブランクを示す展開図である。
【図９】本発明の紙製容器の第三の実施の形態の一実施例を示す斜視図である。
【図１０】図９の紙製容器本体（１）の構成の概略を示す斜視図である。
【図１１】図９の一実施例の主ブランクを示す展開図である。
【図１２】本発明の紙製容器の第二の実施の形態の一実施例を示す斜視図である。
【図１３】図５の紙製容器本体（１）の構成の概略を示す斜視図である。
【図１４】図５の一実施例の主ブランクを示す展開図である。
【図１５】図５の一実施例の副ブランクを示す展開図である。
【図１６】本発明の紙製容器の一実施例を構成する半製品である紙製容器本体を組み立てる状態の成形型の概略を示す断面図である。
【図１７】本発明の紙製容器の一実施例を構成する半製品である紙製容器本体の内部に熱可塑性樹脂製フィルムを密接着させる状態の成形型の概略を示す断面図である。
【図１８】本発明の紙製容器の別の実施例を示す斜視図である。
【図１９】本発明の紙製容器のさらに別の実施例を示す斜視図である。
【図２０】本発明の紙製容器のさらに別の実施例を示す斜視図である。
【符号の説明】
Ａ  紙製容器
Ｂ  紙製容器
Ｃ  紙製容器
Ｄ  紙製容器
Ｅ  紙製容器
Ｆ  紙製容器
Ｇ  紙製容器
１  紙製容器本体
２  内面保護フィルム層
３  フランジ部（主ブランク）
３Ａ表示パネル部（主ブランク）
３Ｂ補強片（主ブランク）
３ａ外周部（フランジ部）
３ｂ仕切り部（フランジ部）
４  側面（主ブランク）
５  底面（副ブランク）
６  側面（副ブランク）
１０  主ブランク
２０  副ブランク
３０  主ブランク
４０  副ブランク
５０  主ブランク
６０  副ブランク
７０  主ブランク
８０  副ブランク
ａ  折れ線
ｂ  折れ線
ｃ  折れ線
１００  成形型
１０１  成形機ベット
１０２  真空孔
１０３  熱可塑性樹脂製フィルム
１０４  クリップ
【図１】
0004170513.tif 000002
【図２】
0004170513.tif 000003
【図３】
0004170513.tif 000004
【図４】
0004170513.tif 000005
【図５】
0004170513.tif 000006
【図６】
0004170513.tif 000007
【図７】
0004170513.tif 000008
【図８】
0004170513.tif 000009
【図９】
0004170513.tif 000010
【図１０】
0004170513.tif 000011
【図１１】
0004170513.tif 000012
【図１２】
0004170513.tif 000013
【図１３】
0004170513.tif 000014
【図１４】
0004170513.tif 000015
【図１５】
0004170513.tif 000016
【図１６】
0004170513.tif 000017
【図１７】
0004170513.tif 000018
【図１８】
0004170513.tif 000019
【図１９】
0004170513.tif 000020
【図２０】
0004170513.tif 000021